(57)【要約】      （修正有）【課題】一種のねじを提供し、使用のとき、素早く締結できるほか、締結トルクを軽減し、屑排出を案内する効果を提供する。【解決手段】本考案は一種のねじに関わるもので、主にネジ山に複数の溝を加工し、該ネジ山に複数のネジ山区域を設け、各ネジ山区域に第１、第２端面を形成する。該第１、第２端面は傾斜状を設け、該第１端面を下部切削面の上部に設ける。該第２端面は該下部切削面の下部に設ける。締結のとき、第２端面に導かれて、第１端面は漸次に切削しながら屑の排出を案内し、締結トルクを軽減して、快速締結の効果を実現する。【選択図】図５
0003123525.tif 000002
【実用新案登録請求の範囲】
【請求項１】
主にねじ頭、ねじ頭に設ける棒体、および棒体センター線を中心とし、らせん状にて棒体に設けるネジ山などの部品より構成し、該ネジ山に該棒体の周面より上部に延伸する上部、下部切削面を設け、該ネジ山はさらに、複数の溝を設け、ネジ山を複数のねじ山区域に仕切り、ねじ山区域の両側に第１、第２端面を設け、
それぞれの溝と棒体センター線は傾斜角度を形成し、該第１、第２端面は互いに平行し、該棒体センター線と傾斜角度を設けるほか、該第１端面は傾斜状にて、下部切削面の上部に設け、該第２端面は傾斜状にて、該上部切削面の下部に設けることを特徴とするねじ。
【考案の詳細な説明】
【技術分野】
【０００１】
本考案は一種のねじ設計、特に一種の快速締結および締結トルクを軽減するねじに関わるものである。
【背景技術】
【０００２】
図１に示すとおり、公知技術のねじ１は、主にねじ頭１１、ねじ頭１１に設ける棒体１２、およびらせん状にて棒体１２に備えるネジ山１３などの部品より構成する。そのうち、該ネジ山１３は該棒体１２の周面１２１より上に延伸する上部、下部切削面１３１、１３２を設ける。さらに、該ネジ山１３に複数の溝１３３を設けて、該ネジ山１３により複数のネジ山区域１３４を仕切り、それぞれのネジ山区域１３４両側に第１、第２端面１３５、１３６を設ける。該第１、第２端面１３５、１３６は平らな表面である。図２をご参照下さい。締結するとき、該第１端面１３５は締結部材を切削し、ねじ１の締結目的を実現する。しかしながら、実際に使用したところ、該第１端面１３５は弾性の木材繊維をすぐに切断できないばかりでなく、木材繊維は該棒体１２に絡まった結果、ねじ１締結の抵抗力を増加させ、締結速度に影響する。
【０００３】
図３に示すものは、公知技術もう一つのねじ２の構造である。主にねじ頭２１、該ねじ頭２１につなげる棒体２２、およびらせん状にて該棒体２２に設けるネジ山２３などの部品より構成する。その特徴は該ネジ山２３に複数の溝２３１を設けて、該ねじ２３に第１、第２と第３端面２３２、２３３、２３４を順次に形成する。引き続き図４をご参照下さい。該ねじ２を締結するとき、該ネジ山２３に複数の溝２３１を加工し、木材繊維屑の収容空間を増やして、該ねじ１の締結力量向上させる。しかしながら、実際に使用したところ、該ネジ山２３は開けた溝２３１が大きいすぎるため、該ねじ２は締結するとき、大きい溝２３１により、締結するときの屑排出効果を向上できるが、該溝２３１は、第１、第２および第３端面２３２、２３３、２３４構成設計のため、締結切削のとき、該第１端面２３２は部材に衝撃し切削する。しかし、弾性を有する木材繊維をすぐに切断できないため、木材繊維が該棒体２２に絡まることを引き起こす。このため、該ねじ２は締結における抵抗力量が増加し、締結速度に影響する。
【考案の開示】
【考案が解決しようとする課題】
【０００４】
本考案の主な目的は、一種のねじを提供し、使用のとき、素早く締結できるほか、締結トルクを軽減し、屑排出を案内する効果を提供する。
【０００５】
本考案のねじは、主にねじ頭、ねじ頭に設ける棒体、および棒体センター線を中心として、らせん状にて該棒体に設けるネジ山などの部材より構成する。そのうち、該ネジ山は該棒体周面より上部に延伸する上部、下部切削面を設け、該ネジ山はさらに複数の溝を加工して、該ネジ山を複数のねじ山区域に仕切る。なお、すべてのねじ山区域両側に第１、第２端面を形成し、該第１、第２端面は傾斜状を設ける。さらに、該第１端面は下部切削面の上部に設け、該第２端面は該上部切削面の下部に設ける。これにより、締結するとき、素早く切削および屑排出、締結トルクを軽減し、快速締結の効果を実現する。
【課題を解決するための手段】
【０００６】
請求項１の考案は、主にねじ頭、ねじ頭に設ける棒体、および棒体センター線を中心とし、らせん状にて棒体に設けるネジ山などの部品より構成し、該ネジ山に該棒体の周面より上部に延伸する上部、下部切削面を設け、該ネジ山はさらに、複数の溝を設け、ネジ山を複数のねじ山区域に仕切り、ねじ山区域の両側に第１、第２端面を設け、
それぞれの溝と棒体センター線は傾斜角度を形成し、該第１、第２端面は互いに平行し、該棒体センター線と傾斜角度を設けるほか、該第１端面は傾斜状にて、下部切削面の上部に設け、該第２端面は傾斜状にて、該上部切削面の下部に設けることを特徴とするねじとしている。
【考案の効果】
【０００７】
本考案のねじは、ねじ山区域それぞれに形成する第１、第２端面の傾斜表面により、切削するときに締結部材より発生する切り屑を排出し、締結部材の木材繊維を漸次に切り込んで、ネジ山を該締結部材に素早く切削し締結部材に入り込み、快速締結並びに締結トルクを軽減する効果があるほか、該ねじは締結するときに発生する切り屑を素早く排出できる、。
【考案を実施するための最良の形態】
【０００８】
図５、図６に示すものは、本考案のねじ３の一実施例である。該ねじ３は主に、ねじ頭３１、該ねじ頭３１に設ける棒体３２、および棒体センター線Ａを中心として、該棒体３２の周面に設けるネジ山３３などの部品より構成する。そのうち、該ネジ山３３に該棒体の周面３２１より上部に延伸する上部、下部切削面３３１、３３２を設ける。さらに、該ネジ山３３に複数の溝３３３を設けることにより、該ネジ山３３を複数のねじ山区域３３４に仕切る。それぞれのねじ山区域３３２両側に第１、第２端面３３５、３３６を設ける。前記の溝３３３は棒体センター線Ａと傾斜角度Ｂを形成し、該第１、第２端面３３５、３３６は互いに平行し、かつ、該棒体センター線Ａも傾斜角度Ｃを形成する。さらに、該第１端面３３５に傾斜状を形成し、下部切削面３３２の上部に設ける。さらに、該第２端面３３６に傾斜状を形成し、かつ、該上部切削面３３１の下部に設けることにより、第１、第２端面３３５、３３６より傾斜表面を形成する。
【０００９】
引き続き図７をご参照下さい。該ねじ３は締結部材４に締結するとき、利用者は該ねじ３の底部を締結部材４に当て、該ねじ頭３１に回転トルクを加えて、該ネジ山３３を同期して回転し、らせん状にて、漸次に該締結部材４にねじ込む。該ネジ山３３を引き続きにねじ込み、該第２端面３３６は切削屑を案内し外部に排出するほか、締結部材４の木材繊維を導入し、該第１端面３３５により、斧のように漸次に切り込み、交差して絡まる木材繊維を快速、有効に切断し、締結トルクを軽減し、快速締結の効果、および該ねじ５のねじ込みときの締結トルクを軽減する。さらに、締結するときに発生する切削屑、または該第１端面３３５によって、切削しきれない木材繊維などは、該第１、第２端面３３５、３３６の案内により、該溝３３４に収容または排出し、押し込みにより、締結部材４の破損を避ける。
【００１０】
前記に説明したとおり、本考案を公知技術と比較すると、本考案は実用面に向上されていることを理解できる。その詳細を以下のとおり説明する、
（１）締結が迅速で、トルクも小さい：それぞれのねじ山区域に第１、第２端面を形成しているほか、該第１、第２端面は切削作用のとき、交差して絡まる木材繊維を有効に切削できるため、使用に当たり、締結抵抗力の発生を確実に軽減し、ねじの快速締結効果を達成するほか、該ねじの締結するときにおける締結トルクを低下させ、ねじ折れの発生を防止する
（２）屑を案内しおよび排出：該第１端面と第２端面は、それぞれの溝および棒体センター線と傾斜する形態を形成する。このため、ねじを該締結部材にねじ込みときに発生する切り屑または締結部材の木材繊維などは、該第２端面に導かれて、切り屑を外部へ順調に排出し、締結部材の木材繊維も第１端面によって、簡単に切り取られる。
【００１１】
以上の説明をまとめると、本考案のねじは、ねじ山区域それぞれに形成する第１、第２端面の傾斜表面により、切削するときに締結部材より発生する切り屑を排出し、締結部材の木材繊維を漸次に切り込んで、ネジ山を該締結部材に素早く切削し締結部材に入り込み、快速締結並びに締結トルクを軽減する効果があるほか、該ねじは締結するときに発生する切り屑を素早く排出できる。
【図面の簡単な説明】
【００１２】
【図１】公知技術のねじの概略図である。
【図２】図１のねじの使用態様の端面断面概略図である。
【図３】公知技術のねじの概略図である。
【図４】図３のねじの使用態様の端面断面概略図である。
【図５】本考案のねじの好ましい実施例の概略図である。
【図６】本考案の好ましい実施例のネジ山の拡大概略図である。
【図７】本考案の好ましい実施例の使用態様の端面断面概略図である。
【符号の説明】
【００１３】
３  ねじ
３１  ねじ頭
３２  棒体
３３  ネジ山
３２１  周面
３３１  上部切削面
３３２  下部切削面
３３３  溝
３３４  ねじ山区域
３３５  第１端面
３３６  第２端面
４  締結部材
Ａ  棒体センター線
Ｂ、Ｃ  傾斜角度
【図１】
0003123525.tif 000003
【図２】
0003123525.tif 000004
【図３】
0003123525.tif 000005
【図４】
0003123525.tif 000006
【図５】
0003123525.tif 000007
【図６】
0003123525.tif 000008
【図７】
0003123525.tif 000009